(57)【要約】【課題】自動販売機の外扉を開閉することなく広告パネルを交換することが可能な自動販売機を提供する。【解決手段】パネル展示部３の前面に広告パネルＡを外部から着脱するための開口部３ａを設け、パネル展示部３内には広告パネルＡを保持するための保持部材４を設けたので、自動販売機の外扉２を開閉することなくパネル展示部３の広告パネルＡを交換することができ、広告パネルの交換作業を極めて容易に行うことができる。また、外扉２の裏側に金銭収納部が設けられている場合は、金銭収納部が広告パネルの交換時に外部に露出することがないので、金銭等の盗難を防止することができる。さらに、パネル展示部３を広告用スペースとして貸し出すサービスを提供することも可能となる。【選択図】図１
2007011594.tif 000002
【特許請求の範囲】
【請求項１】
前面を開口した自動販売機本体と、自動販売機本体の前面を開閉する外扉と、任意の広告が表示された広告パネルを展示するパネル展示部とを備え、パネル展示部を外扉の前面に設けた自動販売機において、
前記パネル展示部の前面に広告パネルを外部から着脱するための開口部を設け、
パネル展示部内には広告パネルを保持するための保持部材を設けた
ことを特徴とする自動販売機。
【請求項２】
前記保持部材を、広告パネルの一端側に係止する係止部と、係止部を広告パネルとの係止が解除可能な位置まで移動可能な可動部とから形成した
ことを特徴とする請求項１記載の自動販売機。
【請求項３】
前記可動部を、係止部の前方への移動によって広告パネルとの係止を解除可能に形成した
ことを特徴とする請求項２記載の自動販売機。
【請求項４】
前記パネル展示部内の広告パネルを上端側が後方に傾斜するように配置し、
展示部の上方には広告パネルに向かって光を照射する照明灯を設けた
ことを特徴とする請求項１、２または３記載の自動販売機。
【請求項５】
前記係止部の広告パネルとの係止が解除可能な位置までの移動を規制する錠前を設けた
ことを特徴とする請求項１、２、３または４記載の自動販売機。
【発明の詳細な説明】
【技術分野】
【０００１】
本発明は、缶入り飲料、紙パック飲料、箱入り菓子等の商品を販売する自動販売機に関するものである。
【背景技術】
【０００２】
従来、この種の自動販売機としては、前面を開口した自動販売機本体と、自動販売機本体の前面を開閉する外扉と、任意の広告が表示された広告パネルを展示するパネル展示部と、パネル展示部の前面部を覆う透明板とを備えたものが知られている（例えば、特許文献１参照）。
【０００３】
この自動販売機では、広告パネルを交換する際に、外扉を開いて外扉の裏側からパネル展示部を引き出すことにより広告パネルを取り外し、広告パネルを交換した後には、パネル展示部を元の位置に戻して外扉を閉じるようにしている。
【特許文献１】特開２００２−３５８５６１号公報
【発明の開示】
【発明が解決しようとする課題】
【０００４】
しかしながら、前記従来例では、広告パネルを交換する度に外扉を開閉する必要があるため、交換作業が極めて面倒であるとともに、交換作業時に外扉の背面側に設けられている金銭収納部が露出するため盗難等の危険を伴うという問題点があった。
【０００５】
本発明は前記問題点に鑑みてなされたものであり、その目的とするところは、自動販売機の外扉を開閉することなく広告パネルを交換することの可能な自動販売機を提供することにある。
【課題を解決するための手段】
【０００６】
本発明は、前記目的を達成するために、前面を開口した自動販売機本体と、自動販売機本体の前面を開閉する外扉と、任意の広告が表示された広告パネルを展示するパネル展示部とを備え、パネル展示部を外扉の前面に設けた自動販売機において、前記パネル展示部の前面に広告パネルを外部から着脱するための開口部を設け、パネル展示部内には広告パネルを保持するための保持部材を設けている。
【０００７】
これにより、パネル展示部の前面に設けた開口部を介して広告パネルが外部から着脱されるとともに、パネル展示部内の保持部材によって広告パネルが保持されることから、自動販売機の外扉を開閉することなくパネル展示部の広告パネルを交換することが可能となる。
【発明の効果】
【０００８】
本発明によれば、自動販売機の外扉を開閉することなくパネル展示部の広告パネルを交換することができるので、広告パネルの交換作業を極めて容易に行うことができる。また、外扉の裏側に金銭収納部が設けられている場合は、金銭収納部が広告パネルの交換時に外部に露出することがないので、金銭等の盗難を防止することができる。
【発明を実施するための最良の形態】
【０００９】
図１乃至図５は本発明の一実施形態を示すもので、図１は自動販売機の全体斜視図、図２はパネル展示部の正面側斜視図、図３はパネル展示部の側面断面図、図４は保持部材の動作を示す側面断面図、図５は保持部材の変形例を示す正面図である。
【００１０】
この自動販売機は、前面を開口した自動販売機本体１と、自動販売機本体１の前面開口部を開閉する外扉２とを備えている。また、外扉２の上部にはアクリル板等からなる透明板２ａが設けられており、透明板２ａの後方には複数の商品サンプル展示台２ｂが外扉２の上下方向に間隔をおいて設けられている。また、各商品サンプル展示台２ｂの上面には複数の商品サンプル２ｃが外扉２の幅方向に間隔をおいて載置されている。さらに、外扉２の下部には、商品広告が表示された広告パネルＡを展示するためのパネル展示部３が設けられ、パネル展示部３はアクリル板から形成されている。
【００１１】
各商品サンプル展示台２ｂの内部には外扉の幅方向に延びる照明灯２ｄが設けられている。各商品サンプル２ｃが載置された商品サンプル展示台２ｂの上面において、各商品サンプル２ｃの間には所定の大きさの孔（図示せず）が設けられており、各商品サンプル２ｃは照明灯２ｄから発した光が孔を通過することによって照明される。
【００１２】
パネル展示部３には、図２及び図３に示すように、広告パネルＡを外部から着脱するための開口部３ａと、広告パネルＡを取り付けるための取付面３ｂが設けられている。取付面３ｂの上端側は後方に傾斜するように形成されており、広告パネルＡを斜めに立てかけることが可能である。また、パネル展示部３と各商品サンプル展示台２ｂのうち最下段に配置されたものとは外扉２の上下方向に互いに接しており、接触面の前端側にはパネル展示部３の幅方向に亘って孔（図示せず）が設けられている。これにより取付面３ｂは、最下段に配置された商品サンプル展示台２ｂの照明灯２ｄから発した光が孔を通過することで照明される。さらに、取付面３ｂの上端側には、広告パネルＡを保持するための保持部材４が設けられている。
【００１３】
保持部材４は、弾性を有する板状部材を折り曲げ加工することにより形成されており、パネル展示部３の上面に固定される固定部４ａと、前方への弾性変形が可能な屈曲部４ｂと、屈曲部４ｂを軸として前方に回動する可動部４ｃと、前方に突出した突起４ｄと、広告パネルＡの上端側を係止する係止部４ｅとから形成されている。突起４ｄを前方に引き出すと、屈曲部４ｂを軸として可動部４ｃ及び係止部４ｅが前方に回動する。また、係止部４ｅの幅方向中央部には、保持部材４の移動を規制する錠前５が設けられている。なお、屈曲部４ｂはヒンジで構成してもよい。
【００１４】
錠前５には、専用の鍵を差し込むための鍵穴５ａと、保持部材４の前方への移動を規制する移動規制部５ｂが設けられ、移動規制部５ｂは取付面３ｂに設けられた孔（図示せず）に係合するようになっている。移動規制部５ｂは、保持部材４の係止部４ｅが前方に回動しておらず、かつ錠前５を施錠していない状態では、取付面３ｂの孔と係合している。そして、鍵穴５ａに専用の鍵を差し込んだ後に施錠を行うと、移動規制部５ｂが取付面３ｂの裏面側に位置するように回動する。このとき、係止部４ｅを前方に回動しようとしても移動規制部５ｂが取付面３ｂの裏面に係止するので、係止部４ｅの前方への回動が規制される。
【００１５】
支持部６は、弾性を有する板状部材を折り曲げ加工することにより形成されている。また、支持部６の曲折した部分から前端側には孔６ａが設けられ、孔６ａはパネル展示部３に降り注いだ雨水等を外扉２の前面に流すようになっている。広告パネルＡの取付時において、広告パネルＡは、その下端側が支持部６によって支持される。
【００１６】
以上のように構成された自動販売機において、広告パネルＡをパネル展示部３に取り付ける場合には、専用の鍵を用いて錠前５の施錠を解除し、突起４ｄを前方に引き出すことにより可動部４ｃ及び係止部４ｅが前方に回動する（図４の一点鎖線部分）。次に、広告パネルＡの下端側を、支持部６の曲折により形成された空間に上方から挿入し、支持部６によって支持された広告パネルＡの下端を軸にして、広告パネルＡの上端側を取付面３ｂ側に回動させて取付面３ｂに取り付ける。そして、突起４ｄを後方に戻すと、係止部４ｅが広告パネルＡの上端側に係止する。次いで、錠前５を専用の鍵を用いて施錠すると、係止部４ｅの前方への回動が規制されるので、広告パネルＡを取り外すことができなくなる。また、広告パネルＡは、パネル展示部３の上端から照明灯２ｄの光が照射されるので、夜間や屋内においても広告パネルＡに表示された商品広告を自動販売機の外部から容易に視認することができる。
【００１７】
このように、本実施形態の自動販売機によれば、パネル展示部３の前面に広告パネルＡを外部から着脱するための開口部３ａを設け、パネル展示部３内には広告パネルＡを保持するための保持部材４を設けたので、自動販売機の外扉２を開閉することなくパネル展示部３の広告パネルＡを交換することができ、広告パネルの交換作業を極めて容易に行うことができる。また、外扉２の裏側に設けられた金銭収納部が広告パネルの交換時に外部に露出することがないので、金銭等の盗難を防止することができる。さらに、パネル展示部３を広告用スペースとして貸し出すサービスを提供することも可能となる。
【００１８】
さらに、保持部材４を、広告パネルＡの上端側に係止する係止部４ｅと、係止部４ｅを広告パネルＡとの係止が可能な位置まで移動可能な可動部４ｃとから形成したので、パネル展示部３に吹き込む風や、路上等からの振動を受けた場合でも、広告パネルＡが容易に位置ずれを生ずることがなく、確実に広告パネルＡを保持することができる。
【００１９】
さらに、可動部４ｃを、係止部４ｅの前方への移動によって広告パネルＡとの係止を解除可能に形成したので、係止部４ｅを前方に引き出すことにより広告パネルＡを取り外すことができ、広告パネルＡの取り付けがさらに容易になる。
【００２０】
さらに、展示部２ｄ内の広告パネルＡを上端側が後方に傾斜するように配置し、パネル展示部３の上方に広告パネルＡに向かって光を照射する照明灯２ｄを設けたので、広告パネルＡの前面全体を照明することができる。従って、広告パネルＡの上端側のみが照明されて下端側が薄暗くなることがないので、広告パネルＡに表示された広告の内容を自動販売機の外部から鮮明に視認することができる。
【００２１】
さらに、係止部４ａの広告パネルＡとの係止が解除可能な位置までの移動を規制する錠前５を設けたので、施錠されている間は広告パネルＡを取り外すことができず、広告パネルＡの盗難を確実に防止することが可能となる。
【００２２】
なお、上記実施形態では、前方に回動可能に形成した保持部材４を用いたものを示したが、図５に示すように、保持部材４に回転軸４ｆを設け、回転軸４ｆを中心に回転することにより保持部材４を回動させるようにしてもよい。これにより、上記実施形態と同様の作用効果を得ることができる。
【図面の簡単な説明】
【００２３】
【図１】本発明の一実施形態を示す自動販売機の全体斜視図
【図２】パネル展示部の正面側斜視図
【図３】パネル展示部の側面断面図
【図４】保持部材の動作を示す側面断面図
【図５】保持部材の変形例を示す正面図
【符号の説明】
【００２４】
１…自動販売機本体、２…外扉、２ｄ…照明灯、３…パネル展示部、３ａ…開口部、４…保持部材、４ｃ…可動部、４ｅ…係止部、５…錠前、Ａ…広告パネル。
【図１】
2007011594.tif 000003
【図２】
2007011594.tif 000004
【図３】
2007011594.tif 000005
【図４】
2007011594.tif 000006
【図５】
2007011594.tif 000007